(57)【要約】【課題】設備用換気機能を有する状態と自然換気機能を有する状態とすることができる換気ユニットとする。【解決手段】通気ボックス１０と、この通気ボックス１０の室外側板１１に設けた枠部２０を備え、通気ボックス１０の室外側板１１と室内側板１２と上板１３に通気口６０，６１，６２を形成可能とし、室外側板１１と室内側板１２に通気口６０，６１を形成することで設備用換気機能を有する状態にでき、室外側板１１と上板１３に通気口６０，６２を形成することで自然換気機能を有する状態にできる換気ユニット。【選択図】図５
2015071919.tif 000002
【特許請求の範囲】
【請求項１】
通風ボックスと、この通風ボックスの室外側面に室外側に位置して設けた枠部とを備え、
前記通風ボックスの室外側面と室内側面、または室外側面と上面に、当該通風ボックスの内部に開口した通気口を選択的に形成したカーテンウォール用換気ユニット。
【請求項２】
前記通風ボックスの室外側面及び室内側面に通気口をそれぞれ形成した請求項１記載のカーテンウォール用換気ユニット。
【請求項３】
前記通風ボックスの室外側面及び上面に通気口をそれぞれ形成した請求項１記載のカーテンウォール用換気ユニット。
【請求項４】
前記通風ボックスは、室外側板と室内側板と上板と下板を有した中空形状の本体と、この本体の両端面に取り付けた一対の側板を備え、
前記枠部は、上枠と下枠と一対の縦枠とを備え、
前記上枠及び下枠は、本体と、この本体の室外側に支持突部を有している請求項１又は２又は３記載のカーテンウォール用換気ユニット。
【請求項５】
前記室外側板と室内側板と一対の側板は上板よりも上方に突出して上向き凹部を有する請求項４記載のカーテンウォール用換気ユニット。
【請求項６】
前記枠部の一対の縦枠間に渡ってルーバーを取り付けた請求項４記載のカーテンウォール用換気ユニット。
【請求項７】
左右に隣接した方立間に渡って請求項１記載の換気ユニットを、上下方向に間隔を置いて複数取り付け、
上下に隣接した換気ユニットと左右の方立間に渡ってパネル体をそれぞれ取り付けてビジョン部とスパンドレル部を上下方向に交互に有するカーテンウォールとし、
前記ビジョン部の上の換気ユニットは、通風ボックスの室外側面及び室内側面に通気口を形成し、
前記ビジョン部の下の換気ユニットは、通風ボックスの室外側面及び上面に通気口を形成したことを特徴とするカーテンウォール。
【請求項８】
前記換気ユニットを請求項４記載の換気ユニットとし、
枠部の上枠の支持突部にパネル体の下端を支持し、枠部の下枠の支持突部にパネル体の上端を支持した請求項７記載のカーテンウォール。
【請求項９】
前記換気ユニットを請求項５記載の換気ユニットとし、ビジョン部の下の換気ユニットは、その通風ボックスの上向き凹部に換気弁を取り付けた請求項８記載のカーテンウォール。
【請求項１０】
前記換気ユニットを請求項６記載の換気ユニットとし、ルーバーの室外端と上枠、下枠の支持突部の室外端と縦枠の室外端は面一に連続する請求項８記載のカーテンウォール。
【発明の詳細な説明】
【技術分野】
【０００１】
本発明は、カーテンウォールに用いる換気ユニット及びその換気ユニットを用いたカーテンウォールに関する。
【背景技術】
【０００２】
従来、カーテンウォールとしては、建物に設置した空調設備の吸排気を行う設備用換気機能と室内を自然換気する自然換気機能とを併せ持つカーテンウォールが提案されている。
例えば、特許文献１に開示したように、カーテンウォールの上枠を、排気ダクトに接続する通気口及び室外に開口する通気口を有する形状とすることで、空調設備の吸排気を行い、カーテンウォールの下枠を、室内に開口する通気口及び室外に開口する通気口を有する形状とすることで、室内を自然換気するようにした設備用換気機能と自然換気機能とを併せ持つカーテンウォールが提案されている。
【先行技術文献】
【特許文献】
【０００３】
【特許文献１】特開２００３−３１４１５４号公報
【発明の概要】
【発明が解決しようとする課題】
【０００４】
特許文献１に開示したカーテンウォールは、設備用換気機能を持つ上枠と自然換気状態を持つ下枠は異なる断面形状である異なる形材であるから、形材点数が増え、材料費がかさむ。
しかも、設備用換気機能を有する上枠の外観と自然換気機能を有する下枠の外観が異なるので、カーテンウォールの設備用換気機能を有する部分と自然換気機能を有する部分の外観を統一することができない。
【０００５】
本発明は、前述の課題に鑑みなされたものであり、その目的は、設備用換気機能を有する状態と自然換気機能を有する状態とすることができ、形材点数を低減して材料費を安くできると共に、設備用換気機能を有する状態の外観と自然換気機能を有する状態の外観が同一であるカーテンウォール用換気ユニット及び、その換気ユニットを用いたカーテンウォールとすることである。
【課題を解決するための手段】
【０００６】
本発明のカーテンウォール用の換気ユニットは、通風ボックスと、この通風ボックスの室外側面に室外側に位置して設けた枠部とを備え、
前記通風ボックスの室外側面と室内側面、または室外側面と上面に、当該通風ボックスの内部に開口した通気口を選択的に形成したカーテンウォール用換気ユニットである。
【０００７】
本発明のカーテンウォール用の換気ユニットは、前記通風ボックスの室外側面及び室内側面に通気口をそれぞれ形成したものにできる。
このようにすれば、設備用換気機能を有する換気ユニットとすることができる。
【０００８】
本発明のカーテンウォール用の換気ユニットは、前記通風ボックスの室外側面及び上面に通気口をそれぞれ形成したものにできる。
このようにすれば、自然換気機能を有する換気ユニットとすることができる。
【０００９】
本発明のカーテンウォール用の換気ユニットは、前記通風ボックスは、室外側板と室内側板と上板と下板を有した中空形状の本体と、この本体の両端面に取り付けた一対の側板を備え、
前記枠部は、上枠と下枠と一対の縦枠とを備え、
前記上枠及び下枠は、本体と、この本体の室外側に支持突部を有しているものにできる。
このようにすれば、上枠の支持突部、下枠の支持突部でパネル体を支持できる。
【００１０】
本発明のカーテンウォール用の換気ユニットは、前記室外側板と室内側板と一対の側板は上板よりも上方に突出して上向き凹部を有しているものにできる。
また、前記枠部の一対の縦枠間に渡ってルーバーを取り付けたものにできる。
このようにすれば、上板に通気口を形成して自然換気機能を有した換気ユニットとした場合に、上向き凹部に換気弁を取り付けて通気口を開閉できると共に、その換気弁が目立つことがない。
また、ルーバーを設けたことで、枠部が大きくとも外観の見栄えを良くできると共に、防鳥効果を有する。
【００１１】
本発明のカーテンウォールは、左右に隣接した方立間に渡って請求項１記載の換気ユニットを、上下方向に間隔を置いて複数取り付け、
上下に隣接した換気ユニットと左右の方立間に渡ってパネル体をそれぞれ取り付けてビジョン部とスパンドレル部を上下方向に交互に有するカーテンウォールとし、
前記ビジョン部の上の換気ユニットは、通風ボックスの室外側面及び室内側面に通気口を形成し、
前記ビジョン部の下の換気ユニットは、通風ボックスの室外側面及び上面に通気口を形成したことを特徴とするカーテンウォールである。
【００１２】
本発明のカーテンウォールは、前記換気ユニットを請求項４記載の換気ユニットとし、
枠部の上枠の支持突部にパネル体の下端を支持し、枠部の下枠の支持突部にパネル体の上端を支持したものにできる。
また、換気ユニットを請求項５記載の換気ユニットとし、ビジョン部の下の換気ユニットは、その通風ボックスの上向き凹部に換気弁を取り付けたものにできる。
このようにすれば、換気ユニットの上枠、下枠でパネル体を支持できる。
また、換気弁により自然換気したり、しないようにでき、その換気弁が目立つことがない。
【００１３】
本発明のカーテンウォールは、換気ユニットを請求項６記載の換気ユニットとし、ルーバーの室外端と上枠、下枠の支持突部の室外端と縦枠の室外端は面一に連続するものにできる。
このようにすれば、換気ユニットのルーバーの室外端と上枠、下枠の支持突部の室外端と縦枠の室外端は面一に連続するため、換気ユニットとパネル体を含むカーテンウォールの壁面を平坦に形成できる。
【発明の効果】
【００１４】
本発明の換気ユニットであれば、通風ボックスの室外側面と室内側面又は室外側面と上面に通気口を形成することで設備用換気機能を有する状態、自然換気機能を有する状態とすることができるから、通気口を形成する位置を変更すれば良く、形材点数を低減して材料費を安くできると共に、設備用換気状態の外観と自然換気状態の外観が同一である。
【００１５】
本発明のカーテンウォールによれば、同一の換気ユニットを用い、通気口を形成する位置を変えるだけで設備用換気状態を有する換気ユニット、自然換気用機能を有する換気ユニットとすることができるから、１種類の換気ユニットを用いることができ、コスト安である。
しかも、複数の換気ユニットの外観が同一であるから、カーテンウォールの設備用換気機能を有する換気ユニットの外観と自然換気機能を有する換気ユニットの外観を同一とすることができる。
【図面の簡単な説明】
【００１６】
【図１】本発明の実施の形態を示すカーテンウォールの一部外観図である。
【図２】図１の縦断面図である。
【図３】換気ユニットの斜視図である。
【図４】換気ユニットの分解斜視図である。
【図５】図１のＡ−Ａ断面図である。
【図６】図１のＢ−Ｂ断面図である。
【図７】図１のＣ−Ｃ断面図である。
【図８】図１のＤ−Ｄ断面図である。
【発明を実施するための形態】
【００１７】
図１は、本発明の換気ユニットを用いたカーテンウォールの一部を示す外観図で、左右に隣接した方立１，１間に渡って換気ユニット２を上下方向に間隔を置いて複数取り付け、左右に隣接した方立１，１と上下の換気ユニット２，２とで枠３を形成し、その枠３にパネル体４を取り付けて窓部５としてある。
【００１８】
図２に示すように、窓部５は建物の居住空間ａと対向したビジョン部５ａと、このビジョン部５ａの上下と連続するスパンドレル部５ｂを有している。
スパンドレル部５ｂは、上下の居住空間ａ，ａ間で、下の居住空間の天井６と上の居住空間ａの床７との天井裏ｂと対向している。
この実施の形態では、床７と連続した腰パネル８を設けてペリカウンター９を有し、スパンドレル部５ｂは腰パネル８と対向しているので、スパンドレル部５ｂの上下寸法が大きい。
【００１９】
ビジョン部５ａの上部に位置する換気ユニット２が設備用換気機能を有した換気ユニット２−１で、建物内部の空調設備に繋がれている。ビジョン部５ａの下部に位置する換気ユニット２が自然換気機能を有した換気ユニット２−２で、外部からの自然な空気の取り入れを可能としてある。
【００２０】
前記換気ユニット２を図３と図４に基づいて説明する。
換気ユニット２は、通気ボックス１０と、通気ボックス１０の室外側面１０ａに室外側に位置して設けた枠部２０を備え、通気ボックス１０の室外側面１０ａと枠部２０の内周面とで室外側に向けて開口した凹陥部２ａを有している。
通気ボックス１０は、縦向きの室外側板１１と室内側板１２を横向きの上板１３と下板１４で一体的に連結した上下寸法よりも左右寸法が長い中空形状の本体１５と、本体１５の左右方向の両端面に取り付けた縦向きの一対の側板１６，１６を備え、室外側板１１、室内側板１２、左右の側板１６，１６は上板１３よりも上方に突出して上方に向けて開口した上向き凹部１７を有している。
【００２１】
室外側板１１の上端部には室外側に向かう上突片１１ａを有している。室外側板１１は下板１４よりも下方に突出し、室内側に向かう下突片１１ｂを有している。
室内側板１２の上端部には室外側に向かう上突片１２ａを有し、下端部には室内側に開口した凹部１２ｂを有している。
側板１６は、本体１５の左右の端面に接して固定される室内外側方向に向かう室内側板１６ａと、この室内側板１６ａの室外側部に左右方向に向けて設けた突出板１６ｂでＬ字形状で、突出板１６ｂの突出端に室内側に向かう突片１６ｃを有している。
室外側板１１の室外側面と突出板１６ｂの室外側面とは面一に連続して通気ボックス１０の室外側面１０ａとしてある。
【００２２】
枠部２０は、上枠３０と下枠４０と左右の縦枠５０，５０で方形状である。
上枠３０は、室外側板３１と室内側板３２と上板３３と下板３４で中空形状の本体３０ａを有し、この本体３０ａの室外側板３１の上部寄りに室外側に向かう突条３５が長手方向に連続して設けてあり、室外側板３１の下部寄りに室外側に向かう支持突部３６が長手方向に連続して設けてある。
室内側板３２の上部寄りに室内側に開口した上凹溝３７を有し、下部寄りに室内側に開口した下凹溝３８を有している。
【００２３】
下枠４０は、室外側板４１と室内側板４２と上板４３と下板４４で中空形状の本体４０ａを有し、この本体４０ａの室外側板４１の下部寄りに室外側に向かう突条４５が長手方向に連続して設けてあり、室外側板４１の上部寄りに室外側に向かう支持突部４６が長手方向に連続して設けてある。
室内側板４２の上部寄りに室内側に開口した上凹溝４７を有し、下部寄りに室内側に開口した下凹溝４８を有している。
【００２４】
つまり、上枠３０と下枠４０は同一形状で、上下に反転することで上枠３０、下枠４０としている。
【００２５】
縦枠５０は、室内外側方向に向かう縦板５１と、その縦板５１の上枠３０、下枠４０と対向した内側面の室内側寄りに設けた内向突部５２と、縦板５１の外側面の室外側寄りに設け外向突部５３を有している。
内向突部５２は、縦板５１に設けた室内側内向片５２ａと室外側内向片５２ｂを連結片５２ｃで連結した横断面コ字形状で、内向突部５２と縦板５１で中空部を形成し、室内側内向片５２ａに室内側に開口した凹溝５４ｂが形成してある。
外向突部５３は、縦板５１に設けた室内側外向片５３ａと室外側外向片５３ｂを有している。
【００２６】
内向突部５２の見込み寸法（室内外側方向の寸法）は上枠３０の本体３０ａの見込み寸法、下枠４０の本体４０ａの見込み寸法と同一で、内向突部５２の長さ（上下方向の寸法）は縦板５１の内向突部５２を設けた室内側部分５１ａの長さよりも短い。
内向突部５２の上面５２−１は、上枠３０の本体３０ａの下面形状と同一形状で、内向突部５２の上面５２−１は上枠３０の本体３０ａの下面に接し、上枠３０の本体３０ａの長手方向の端面が縦板５１の室内側部分５１ａの上部に接し、上枠３０の本体３０ａの上面と縦板５１の室内側部分５１ａの上部が面一に連続する。
内向突部５２の下面５２−２は、下枠４０の本体４０ａの上面形状と同一形状で、内向突部５２の下面５２−２は下枠４０の本体４０ａの上面に接し、下枠４０の本体４０ａの長手方向の端面が縦板５１の室内側部分５１ａの下部に接し、下枠４０の本体４０ａの下面と縦板５１の室内側部分５１ａの下面が面一に連続する。
【００２７】
縦板５１の室外側部分５１ｂに上枠３０、下枠４０の支持突部３６，４６の長手方向の端面が接し、その室外側部分５１ｂの見込み寸法は、上枠３０、下框４０の支持突部３６，４６の見込み寸法と同一で、この室外側部分５１ｂの長さは室内側部分５１ａの長さよりも短く、上枠３０の支持突部３６の上面が縦板５１の室外側部分５１ｂの上面と面一となると共に、下枠４０の支持突部４６の下面が縦板５１の室外側部分５１ｂの下面と面一となる。
【００２８】
そして、縦板５１からねじを上枠３０の本体３０ａ、支持突部３６のビスホールと、下枠４０の本体４０ａ、支持突部４６のビスホールに螺合して上枠３０、下枠４０と縦枠５０を連結して枠部２０を形成している。
【００２９】
枠部２０には、左右の縦枠５０の縦板５１の室外側部分５１ｂ間に渡ってルーバー５４が上下方向に間隔を置いて複数取り付けてある。
このルーバー５４の室外端５４ａと上枠３０、下枠４０の支持突部３６，４６の室外端３６ａ，４６ａと縦枠５０の室外端５０ａは面一に連続する。
【００３０】
前記通気ボックス１０と枠部２０は図５〜図７に示すように連結される。
上枠３０の室内側板３２を通気ボックス１０の室外側板１１の上部に上部シール材ａを介して接し、上突片１１ａに室内側板３２を当接すると共に、上凹溝３７に支持したボルト３９を室外側板１１の上部を挿通し、ナット３９ａを螺合して上枠３０を室外側板１１に固定する。
下枠４０の室内側板４２を通気ボックス１０の室外側縦板１１に下部シール材ｂを介して接し、上凹溝４７に支持したボルト４９を室内側縦板１１の下部を挿通し、ナット４９ａを螺合して下枠４０を室外側板１１に固定する。
下枠４０の下部は通気ボックス１０の下板１４よりも下方に突出している。
縦枠５０の内向突部５２の室内側内向片５２ａを側板１６の突出板１６ｂにシール材ｃを介して接し、凹溝５４ｂに支持したボルト５５を側板１６の突出板１６ｂを挿通し、ナット５５ａを螺合して縦枠５０を側板１６に固定する。
【００３１】
シール材ａとシール材ｂとシール材ｃは四周連続し、通気ボックス１０と枠部２０の連結部を確実にシールしている。
【００３２】
前記通気ボックス１０の室外側板１１（つまり、室外側面）、室内側板１２（つまり、室内側面）、または室外側面１１、上板１３（つまり、上面）に、通気ボックス１０の内部１０ａに開口した通気口を選択的に形成してある。つまり、室外側板１１、室内側板１２、上板１３は通気口形成部を有する。
【００３３】
図５に示すように、通気ボックス１０の室外側板１１に通気口６０を形成して通気ボックス１０の内部１０ａを室外に連通し、通気ボックス１０の室内側板１２に通気口６１を形成して通気ボックス１０の内部１０ａを室内に連通することで、設備用換気機能を有する換気ユニット２−１とすることができる。
【００３４】
図６に示すように、通気ボックス１０の室外側板１１に通気口６０を形成すると共に、通気ボックス１０の上板１３に通気口６２を形成することで、自然換気機能を有する換気ユニット２−２とすることができる。
【００３５】
次に、カーテンウォールについて説明する。
方立１は、図７と図８に示すように室内側部材７０と、この室内側部材７０の室外側に取り付けた室外側部材７１とで室外側寄りに左右方向の両方に開口した凹部７２をそれぞれ有している。
室内側部材７０は、左右方向に向かう室内側板７０ａと左右方向に向かう室外側板７０ｂと室内側外側方向に向かう左右の側板７０ｃで中空形状の形材で、室外側板７０ｂに室外側に開口した凹部７３を有し、この凹部７３の室内外側方向に向かう左右の面に係止受片７４が設けてある。
【００３６】
室外側部材７１は、左右方向の寸法が室内側部材７０と同一の押え部７１ａと、この押え部７１ａの左右方向の中間に室内側に向けて設けた左右寸法が押え部７１ａよりも小さな取付部７１ｂとでＴ字形状で、その取付部７１ｂの室内側に係止片７５が設けてある。
そして、係止片７５を係止受片７４に係止して室外側部材７１を室内側部材７０に取り付け凹部７２を形成している。
【００３７】
図７に示すように、枠部２０の縦枠５０の外向突部５３が方立１の凹部７２内に入り込み、シール材７６でシールしてある。
【００３８】
図５に示すように、設備用換気機能を有する換気ユニット２−１は、通気ボックス１０の上面と枠部２０の上面とに渡って上面板８０を取り付けて換気ユニット２−１の上面を平坦面とする。
上枠３０の突条３５にパネル体支持材８１を嵌合して取り付ける。
スパンドレル部５ｂのパネル体４の下端面と上枠３０の支持突部３６との間をシール材８２でシールして支持突部３６でパネル体４の下部を支持し、このパネル体４とパネル体支持材８１との間にシール材８３でシールする。
スパンドレル部５ｂは室内側パネル４ａを備え、この室内側パネル４ａを上面板８０の室内側にブラケット８４で支持する。
【００３９】
下枠４０の突条４５にパネル体支持材８５を嵌合して取り付ける。
ビジョン５ａのパネル体４の上端面と下枠４０の支持突部４６との間をシール材８６でシールして支持突部４６でパネル体４の上部を支持し、このパネル体４とパネル体支持材８５と下枠４０の室外側板４１との間をシール材８７でシールする。
下枠４０の下板４４と天井６とに渡ってカバー８８を取り付け、居住空間ａから換気ユニット２−１が目視できないようにする。
【００４０】
通気ボックス１０の室内側板１２の室内側面にチャンバーボックス８９を取り付け、このチャンバーボックス８９内部を図示しない空調設備の吸気口に連通する。
これにより、空調設備を稼動することで矢印で示すように室外の空気が、通気口６０、通気ボックス１０の内部１０ａ、通気口６１、チャンバーボックス８９を経て空調設備の吸気口に流通する。
【００４１】
通気ボックス１０の下板１４及び下枠４０の上板４３は室内側よりも室外側が高くなるように水平に対して傾斜し、室外側板１１に形成した通気口６０は下板１４まで連続して通気ボックス１０の内部１０ａに浸入した雨水が通気口６０から室外に向けて流れ落ち易いようにしてある。
【００４２】
図６に示すように、自然換気機能を有する換気ユニット２−２は、通風ボックス１０の上向き凹部１７内に通気口６２を開閉する換気弁９０を設けてある。
換気弁９０は、ハウジング９０ａに弁９０ｂを設け、この弁９０ｂに上方位置に移動すると通気口６２を開放し、弁９０ｂを仮想線で示すように下方位置に移動することで通気口６２を閉じる。
このようであるから、外部の空気を自然換気したり、しないようにできる。
また、換気弁９０が上向き凹部１７内にあるので居住空間ａから見え難い。
【００４３】
上枠３０の突条３５にパネル体支持材９１を取り付けると共に、下枠４０の突条４５にパネル体支持材９２を取り付ける。
【００４４】
ビジョン部５ａのパネル体４の下端面と上枠３０の支持突部３６との間をシール材９３でシールして支持突部３６でパネル体４の下部を支持し、このパネル体４とパネル体支持材９１との間にシール材９４でシールする。
【００４５】
スパンドレル部５ｂのパネル体４の上端面と下枠４０の支持突部４６との間をシール材９５でシールして支持突部４６でパネル体４の上部を支持し、このパネル体４とパネル体支持板９２との間をシール材９６でシールする。
下枠４０の下板４４にカバー９７を室内側に向けて取り付け、このカバー９７に室内側パネル４ａの上部をブラケット９８で支持する。
【００４６】
このようであるから、図６に矢印で示すように室外の空気が通気口６０から通気ボックス１０の内部１０ａに流入し、下板１４に当たって上向きに流れ、通気口６２から換気弁９０を通って居住空間ａに流れ、居住空間ａに室外の空気を取り入れて換気をすることができる。
また、通気ボックス１０の上板１３に通気口６２を形成したので、腰パネル８とペリカウンター９等で居住空間ａの下部よりに立上り部を有している場合でも、その立上り部が邪魔にならずに居住空間ａに室外の空気を流通することができる。
【００４７】
図８に示すように、ビジョン部５ａのパネル体４の左右の縦縁部は、方立１の凹部７２内に挿入し、パネル体４の室内側面と室内側部材７０との間を室内側シール材７８でシールし、パネル体４の室外側面と室外側部材７１との間を室外側シール材７９でシールする。
この室外側シール材７９は図５、図６に示すようにビジョン部５ａ、換気ユニット２、スパンドレル部５ｂに渡って連続している。
【００４８】
前述の実施の形態では、通気ボックス１０の本体１５と枠部２０の上枠３０、下枠４０を別体としたが、一体としても良い。
また、ルーバー５４を設けなくとも良い。
【符号の説明】
【００４９】
１…方立、２…換気ユニット、２−１…設備用換気機能を有する換気ユニット、２−２…自然換気機能を有する換気ユニット、３…枠、４…パネル体、５ａ…ビジョン部、５ｂ…スパンドレル部、１０…通気ボックス、１１…室外側板、１２…室内側板、１３…上板、１４…下板、１５…本体、１６…側板、１７…上向き凹部、２０…枠部、３０…上枠、３０ａ…本体、３６…支持突部、４０…下枠、４０ａ…本体、４６…支持突部、５０…縦枠、５４…ルーバー、６０…通気口、６１…通気口、６２…通気口。
【図１】
2015071919.tif 000003
【図２】
2015071919.tif 000004
【図３】
2015071919.tif 000005
【図４】
2015071919.tif 000006
【図５】
2015071919.tif 000007
【図６】
2015071919.tif 000008
【図７】
2015071919.tif 000009
【図８】
2015071919.tif 000010